(57)【要約】【課題】  簡単な構造で、スイッチ部の不用意なスイッチ動作を防ぐことができるスイッチ装置およびそれを備えた時計を提供する。【解決手段】  本体ケース７の外周に外装ケース８が設けられた腕時計ケース１と、本体ケース７にその出没方向に移動可能に設けられ、その移動によりスイッチ操作をする押圧操作部材１０と、本体ケース７と外装ケース８との間にスライド可能に配置され、かつスライド動作によって押圧操作部材１０を本体ケース７の出没方向に移動させるスライド操作部材１１と、を備えている。従って、スライド操作部材１１の一部を腕時計ケース１の外部に露出させた状態で、スライド操作部材１１を本体ケース７と外装ケース８との間にスライド可能に配置することができる。このため、腕時計ケース１の外部に露出するスライド操作部材１１の露出面積を最小限に小さくできるので、スライド操作部材１１の不用意なスライド動作をしにくくすることができる。【選択図】        図３
2016219369.tif 000002
【特許請求の範囲】
【請求項１】
第１支持部の外側に第２支持部が設けられた支持部材と、
前記第１支持部にその内外に向けて移動可能に設けられ、その移動によりスイッチ操作をする押圧操作部材と、
前記第１支持部と前記第２支持部との間に前記押圧操作部材の移動方向と直交する方向にスライド可能に配置され、かつその一部が前記第２支持部から前記支持部材の外部に露出され、スライド動作によって前記押圧操作部材を前記第１支持部の内外に向けて移動させるスライド操作部材と、
を備えていることを特徴とするスイッチ装置。
【請求項２】
請求項１に記載のスイッチ装置において、前記スライド操作部材は、前記押圧操作部材の移動方向と直交する方向にスライドするスライド本体部と、前記スライド本体部に設けられて前記スライド本体部のスライド動作に応じて前記押圧操作部材を前記第１支持部の内外に向けて移動させるスライド操作部と、前記スライド本体部に設けられて前記第２支持部から前記支持部材の外部に露出するスライド操作釦と、を備えていることを特徴とするスイッチ装置。
【請求項３】
請求項２に記載のスイッチ装置において、前記スライド操作部は、前記第１支持部の外面に沿ってスライドするスライドガイド部と、このスライドガイド部のスライド動作に応じて前記押圧操作部材を前記第１支持部の内外に向けて移動させるスライド傾斜部と、を備えていることを特徴とするスイッチ装置。
【請求項４】
請求項１〜請求項３のいずれかに記載のスイッチ装置において、前記第１支持部と前記第２支持部との間には、前記スライド操作部材をスライド可能に収納するスライド収納部が設けられていることを特徴とするスイッチ装置。
【請求項５】
請求項１〜請求項４のいずれかに記載のスイッチ装置において、前記第２支持部には、前記スライド操作部材の前記スライド操作釦がスライド可能に挿入されて前記支持部材の外部に露出するスライド開口部が設けられていることを特徴とするスイッチ装置。
【請求項６】
請求項１〜請求項５のいずれかに記載のスイッチ装置において、前記スライド操作部材は、前記スライド操作釦のスライド動作に応じて前記スライド開口部を塞ぐ目隠し部を備えていることを特徴とするスイッチ装置。
【請求項７】
請求項１〜請求項６のいずれかに記載されたスイッチ装置を備えていることを特徴とする時計。
【請求項８】
請求項７に記載の時計において、前記支持部材は、前記第１支持部である本体ケースと前記第２支持部である外装ケースとを有する時計ケースであり、前記本体ケースは、その外形がほぼ円形状に形成され、その内部に前記スイッチ部を有する時計モジュールが組み込まれており、前記スライド操作部材は、前記時計ケースの円周方向に沿ってスライドすることを特徴とする時計。
【発明の詳細な説明】
【技術分野】
【０００１】
この発明は、腕時計や携帯情報端末機などの電子機器に用いられるスイッチ装置およびそれを備えた時計に関する。
【背景技術】
【０００２】
例えば、腕時計に用いられているスイッチ装置においては、特許文献１に記載されているように、腕時計ケースに押圧操作部材を出没可能に設けると共に、腕時計ケースの外面にスライド操作部材をスライド可能に設け、このスライド操作部材をスライドさせて押圧操作部材を腕時計ケース内に押し込むことにより、押圧操作部材が腕時計ケース内のスイッチ部をスイッチ動作させるように構成されたものが知られている。
【先行技術文献】
【特許文献】
【０００３】
【特許文献１】特開２００４―１７０２０８号公報
【０００４】
この種のスイッチ装置は、スライド操作部材を腕時計ケースの外面にスライド可能に取り付けるために、予め、腕時計ケースの外面にスライド支持枠を複数の取付部材によってスライド可能に取り付け、このスライド支持枠にスライド操作部材を取り付け、このスライド操作部材に設けられた傾斜面が、スライド操作部材のスライドに伴って押圧操作部材を腕時計ケースの出没方向に移動させるように構成されている。
【発明の概要】
【発明が解決しようとする課題】
【０００５】
しかしながら、このようなスイッチ装置では、腕時計ケースの外面にスライド支持枠を複数の取付部材によってスライド可能に取り付け、このスライド支持枠にスライド操作部材を取り付ける必要があるため、部品点数が多く、構造が複雑になり、組立作業が面倒になるという問題がある。
【０００６】
また、このスイッチ装置では、腕時計ケースの外面にスライド操作部材の全体が露出しているため、スライド操作部材にものがぶつかり易く、不用意にスライド操作部材がスライドし易く、このスライド操作部材のスライドによって腕時計ケース内のスイッチ部が誤動作し易いという問題がある。
【０００７】
この発明が解決しようとする課題は、簡単な構造で、スイッチ部の不用意なスイッチ動作を防ぐことができるスイッチ装置およびそれを備えた時計を提供することである。
【課題を解決するための手段】
【０００８】
この発明は、第１支持部の外側に第２支持部が設けられた支持部材と、前記第１支持部にその内外に向けて移動可能に設けられ、その移動によりスイッチ操作をする押圧操作部材と、前記第１支持部と前記第２支持部との間に前記押圧操作部材の移動方向と直交する方向にスライド可能に配置され、かつその一部が前記第２支持部から前記支持部材の外部に露出され、スライド動作によって前記押圧操作部材を前記第１支持部の内外に向けて移動させるスライド操作部材と、を備えていることを特徴とするスイッチ装置である。
【発明の効果】
【０００９】
この発明によれば、スライド操作部材の一部を第２支持部から支持部材の外部に露出させた状態で、スライド操作部材を第１支持部と第２支持部との間にスライド可能に配置することができる。このため、支持部材の外部に露出するスライド操作部材の露出面積を最小限に小さくすることができるので、スライド操作部材が不用意にスライド動作するのを抑制することができる。これにより、簡単な構造で、スイッチ部が不用意にスイッチ動作するのを良好に防ぐことができる。
【図面の簡単な説明】
【００１０】
【図１】この発明を腕時計に適用した一実施形態を示した拡大正面図である。
【図２】図１に示された腕時計における３時側の側面を示した要部の拡大側面図である。
【図３】図２に示されたスイッチ装置のＡ−Ａ矢視における要部の拡大断面図である。
【図４】図３に示されたスイッチ装置のＢ−Ｂ矢視における要部の拡大断面図である。
【図５】図３に示されたスイッチ装置のスライド操作釦をスライドさせてスイッチ部をスイッチ動作させた状態を示した要部の拡大断面図である。
【図６】図５に示されたスイッチ装置のＣ−Ｃ矢視における要部の拡大断面図である。
【図７】図３に示されたスイッチ装置の要部を示した拡大斜視図である。
【発明を実施するための形態】
【００１１】
以下、図１〜図７を参照して、この発明を腕時計に適用した一実施形態について説明する。
この腕時計は、図１に示すように、腕時計ケース１を備えている。この腕時計ケース１の１２時側と６時側とには、時計バンド２が取り付けられている。また、この腕時計ケース１の３時側には、スイッチ装置３が設けられている。
【００１２】
この腕時計ケース１の内部には、図３〜図６に示すように、時計モジュール４が設けられている。この時計モジュール４は、図１〜図６に示すように、指針５を運針させて時刻を指示させる時計ムーブメント（図示せず）や、スイッチ部６などの時計機能に必要な各種の部品を備えている。
【００１３】
また、この腕時計ケース１は、図３〜図６に示すように、第１支持部である本体ケース７と第２支持部である外装ケース８とを有する支持部材である。本体ケース７は、金属や硬質の合成樹脂などの硬質の材料で形成されている。外装ケース８は、軟質の合成樹脂で形成され、本体ケース７の外周面にこれを覆って取り付けられるように構成されている。
【００１４】
ところで、スイッチ装置３は、図２〜図７に示すように、本体ケース７にその内部と外部とに向けて出没可能に設けられた押圧操作部材１０と、本体ケース７と外装ケース８との間に押圧操作部材１０の移動方向と直交する方向にスライド可能に配置されたスライド操作部材１１と、を備えている。
【００１５】
押圧操作部材１０は、図３〜図７に示すように、ほぼ丸棒状に形成され、本体ケース７に設けられた貫通孔１２にその出没方向に移動可能に設けられている。すなわち、この押圧操作部材１０は、その外端部１３ａが貫通孔１２から本体ケース７の外部に突出し、内端部１４ａが本体ケース７の内部に突出し、この状態で外端部１３ａが押されると、内端部１４ａが時計モジュール４のスイッチ部６を押圧するように構成されている。
【００１６】
この場合、押圧操作部材１０は、図３〜図７に示すように、その外部側が大径部１３に形成されている。この大径部１３の外端部１３ａは、半球状に形成されている。また、この大径部１３の外周には、防水リング１３ｂが設けられている。この防水リング１３ｂは、大径部１３の外周に取り付けられた状態で、貫通孔１２の内周面に圧接して摺動することにより、大径部１３の外周面と貫通孔１２の内周面との間の防水を図るように構成されている。
【００１７】
また、この押圧操作部材１０は、図３〜図７に示すように、その内部側が小径部１４に形成されており、この小径部１４の内端部１４ａには、環状の取付溝１４ｂが形成されている。このため、本体ケース７の貫通孔１２は、押圧操作部材１０の大径部１３が挿入する大径孔部１２ａと、押圧操作部材１０の小径部１４が挿入する小径孔部１２ｂと、大径部１３と小径部１４との境界に設けられた段差部１２ｃと、を有している。
【００１８】
これにより、押圧操作部材１０の大径部１３は、図３〜図７に示すように、本体ケース７の貫通孔１２における大径孔部１２ａの軸方向の長さよりも少し長く形成されている。また、押圧操作部材１０の小径部１４は、本体ケース７の貫通孔１２における小径孔部１２ｂの軸方向の長さよりも長く形成され、その内端部１４ａが本体ケース７内に突出し、この突出した内端部１４ａの取付溝１４ｂにＥリングなどの抜止め部材１５が取り付けられるように構成されている。
【００１９】
このため、押圧操作部材１０は、図５および図６に示すように、その大径部１３の外端部１３ａが押されて、大径部１３が本体ケース７の貫通孔１２の大径孔部１２ａ内に没入した際に、大径部１３の内端部が貫通孔１２の段差部１２ｃに当接し、かつ小径部１４の内端部１４ａがスイッチ部６を押圧してスイッチ動作させるように構成されている。
【００２０】
また、この押圧操作部材１０は、図３および図４に示すように、その小径部１４の内端部１４ａがスイッチ部６のばね力によって押された際に、内端部１４ａの取付溝１４ｂに取り付けられた抜止め部材１５が本体ケース７の内周面に当接し、これにより大径部１３が本体ケース７の貫通孔１２から抜け出すことがなく、大径部１３の外端部１３ａが本体ケース７の外部に押し出されるように構成されている。
【００２１】
この場合、スイッチ部６は、図３〜図６に示すように、板ばね部６ａと接点部６ｂとを有し、板ばね部６ａが接点部６ｂに接離可能に接触するように構成されている。すなわち、このスイッチ部６は、板ばね６ａがそのばね力に抗して押圧操作部材１０の内端部１４ａによって押圧された際に、図５および図６に示すように、板ばね部６ａが接点部６ｂに弾接することにより、オン動作するように構成されている。
【００２２】
また、このスイッチ部６は、図３および図４に示すように、押圧操作部材１０による押圧操作が解除された際に、板ばね部６ａがそのばね力によって押圧操作部材１０の内端部１４ａを押圧して押圧操作部材１０を本体ケース７の外部に向けて押し出し、板ばね部６ａが接点部６ｂから離れることにより、オフ動作するように構成されている。
【００２３】
一方、スライド操作部材１１は、図２〜図７に示すように、押圧操作部材１０の移動方向と直交する方向にスライドするスライド本体部１６と、このスライド本体部１６に設けられてスライド本体部１６のスライド動作に応じて押圧操作部材１０を本体ケース７の出没方向に移動させるスライド操作部１７と、スライド本体部１６に設けられて外装ケース８から腕時計ケース１の外部に露出するスライド操作釦１８と、を備えている。
【００２４】
この場合、本体ケース７と外装ケース８との間には、図３〜図６に示すように、スライド操作部材１１をスライド可能に収納するスライド収納部２０が設けられている。このスライド収納部２０は、スライド操作部材１１のスライド本体部１６の軸中心と押圧操作部材１０の軸中心とを結ぶ直線上において、腕時計ケース１の円周方向（図３では左右方向）に沿って設けられている。
【００２５】
スライド本体部１６は、図３〜図７に示すように、円柱状に形成され、その軸中心が押圧操作部材１０の軸中心に対し腕時計ケース１の円周方向にずれた状態で、本体ケース７の外周面にその円周方向に沿ってスライド可能に配置されるように構成されている。スライド操作部１７は、スライド本体部１６の内端部に設けられたスライドガイド部１７ａと、このスライドガイド部１７ａの一辺部（図３では左端部）に設けられて押圧操作部材１０の外端部１３ａ側に向けて延出されたスライド傾斜部１７ｂと、を備えている。
【００２６】
すなわち、スライド操作部１７のスライドガイド部１７ａは、図３〜図６に示すように、四角形の平板状に形成され、その一辺部（図３では左端部）が押圧操作部材１０に接離可能に接近するように構成されている。このスライドガイド部１７ａの内面（図３では下面）における四隅には、本体ケース７の外周面に接触して摺動する半球状のスライド突起部１７ｃが設けられている。また、このスライドガイド部１７ａは、そのスライド方向に沿う両側部が本体ケース７の外面に設けられた一対のガイドレール７ａによってガイドされるように構成されている。
【００２７】
また、スライド操作部１７のスライド傾斜部１７ｂは、図３〜図６に示すように、スライドガイド部１７ａの一辺部（図３では左端部）から押圧操作部材１０の外端部１３ａに向けて斜め上方に向けて延出され、この延出されスライド傾斜部１７ｂの内側面（図３では下側面）に押圧操作部材１０の外端部１３ａが弾接した状態で摺動するように構成されている。
【００２８】
すなわち、このスライド傾斜部１７ｂは、図５および図６に示すように、スライドガイド部１７ａが押圧操作部材１０に接近した際に、押圧操作部材１０の外端部１３ａが位置する箇所のスライド傾斜部１７ｂの内側面が本体ケース７の外面に最も接近することにより、押圧操作部材１０の外端部１３ａを最も押し込むように構成されている。
【００２９】
また、このスライド傾斜部１７ｂは、図３および図４に示すように、スライドガイド部１７ａが押圧操作部材１０から離れる際に、押圧操作部材１０の外端部１３ａが位置する箇所のスライド傾斜部１７ｂの内側面が本体ケース７の外面から徐々に離れることにより、押圧操作部材１０の外端部１３ａがスイッチ部６のばね力によって徐々に押し出されるように構成されている。
【００３０】
一方、スライド操作釦１８は、図２〜図７に示すように、スライド本体部１６の外端部に設けられて、外装ケース８のスライド開口部１９内にスライド可能に挿入されるように構成されている。このスライド開口部１９は、その内部にスライド操作釦１８が挿入された状態で、腕時計ケース１の円周方向（図２および図３では左右方向）に沿ってスライドするように構成されている。このスライド開口部１９は、腕時計ケース１の円周方向に沿って長い長方形状に形成されている。
【００３１】
すなわち、このスライド開口部１９は、図２〜図６に示すように、その腕時計ケース１の円周方向（図２では左右方向）における長さが、スライド操作釦１８およびそのスライド長さの両方の長さとほぼ同じ長さで形成されている。この場合、スライド操作釦１８は、腕時計ケース１の円周方向と直交する方向（図２では上下方向）のスライド開口部１９の長さ（幅）とほぼ同じ長さの辺部を有する四角形の角柱状に形成されている。
【００３２】
また、このスライド操作釦１８は、図２〜図６に示すように、その軸方向（図３では上下方向）における長さ（厚み）がスライド開口部１９の深さ、つまりスライド開口部１９が位置する箇所の外装ケース８の厚みよりも少し長く形成されている。これにより、スライド操作釦１８は、その外端部が外装ケース８のスライド開口部１９から腕時計ケース１の外部に少し突出した状態で、スライド開口部１９内にその長手方向に沿って移動するように構成されている。
【００３３】
すなわち、このスライド操作釦１８は、図２および図３に示すように、押圧操作部材１０から離れた位置、つまりスライド開口部１９の一端部側（図３では右端部側）に位置した際に、スライド操作部１７のスライドガイド部１７ａを圧操作部材１０から離して押圧操作部材１０をスライド傾斜部１７ｂの傾斜位置（図３ではスライド傾斜部１７ｂの左側上部）に応じて本体ケース７の貫通孔１２から外部に突出させるように構成されている。
【００３４】
また、このスライド操作釦１８は、図２および図４に示すように、押圧操作部材１０に接近する位置、つまりスライド開口部１９の他端部側（図５では左端部側）に位置した際に、スライド操作部１７のスライドガイド部１７ａを押圧操作部材１０に接近させて、押圧操作部材１０をスライド傾斜部１７ｂの傾斜位置（図５ではスライド傾斜部１７ｂの右側下部）に応じて本体ケース７の貫通孔１２内に押し込むように構成されている。
【００３５】
この場合、スライド操作釦１８の下面、つまりスライド本体部１６の上端部には、図２〜図７に示すように、スライド操作釦１８のスライドに応じてスライド開口部１９を塞ぐ第１、第２の目隠し部２１、２２が設けられている。これら第１、第２の目隠し部２１、２２それぞれは、スライド開口部１９よりも少し大きい長方形の平板状に形成されている。
【００３６】
すなわち、これら第１、第２の目隠し部２１、２２は、図２〜図７に示すように、腕時計ケース１の円周方向（図３では左右方向）の長さが、スライド操作釦１８のスライド長さよりも長く、かつスライド開口部１９の長手方向の長さよりも少し短い長さで、また腕時計ケース１の円周方向と直交する方向（図４における左右方向）の長さがスライド開口部１９の長手方向と直交する方向の長さよりも少し長く形成されている。
【００３７】
この場合、第１、第２の目隠し部２１、２２の各上面における先端部には、図３、図５、および図７に示すように、スライド開口部１９のスライド方向に沿う両側の縁部に位置する外装ケース８の下面に接触して摺動する複数のスライド突起２１ａ、２２ａがそれぞれ設けられている。
【００３８】
これにより、第１の目隠し部２１は、図２および図３に示すように、スライド操作釦１８が押圧操作部材１０から離れた位置、つまりスライド開口部１９の一端部側（図３では右端部側）に位置した際に、そのスライド操作釦１８の他端部側（図３では左側）に位置する箇所のスライド開口部１９を塞ぐように構成されている。
【００３９】
また、第２の目隠し部２２は、図２および図５に示すように、スライド操作釦１８が押圧操作部材１０に接近した位置、つまりスライド開口部１９の端部側（図５では左端部側）に位置した際に、そのスライド操作釦１８の一端部側（図５では右側）に位置する箇所のスライド開口部１９を塞ぐように構成されている。
【００４０】
次に、このような腕時計におけるスイッチ装置３の作用について説明する。
このスイッチ装置３を腕時計ケース１に組み付ける場合には、まず、腕時計ケース１の本体ケース７に押圧操作部材１０を取り付ける。このときには、予め、押圧操作部材１０の大径部１３に防水リング１３ｂを取り付け、この押圧操作部材１０を本体ケース７の貫通孔１２にその外部側から挿入させる。
【００４１】
これにより、防水リング１３ｂが貫通孔１２の大径孔部１２ａの内周面に摺動可能に弾接した状態で、押圧操作部材１０の内端部１４ａが本体ケース７内に突出される。この状態で、本体ケース７内に突出した押圧操作部材１０の内端部１４ａに設けられた環状の取付溝１４ｂに抜止め部材１５を取り付ける。この後、本体ケース７内に時計モジュール４を組み込むと共に、本体ケース７の外周に外装ケース８をスライド操作部材１１と共に取り付ける。
【００４２】
この場合、本体ケース７内に時計モジュール４を組み込む際には、押圧操作部材１０を本体ケース７の外部に向けて押し出し、押圧操作部材１０の内端部１４ａに取り付けられた抜止め部材１５を本体ケース７の内周面に押し当てる。これにより、本体ケース７内に突出する押圧操作部材１０の内端部１４ａの突出長さを最小限にする。
【００４３】
この状態で、本体ケース７内に時計モジュール４を組み込み、この時計モジュール４のスイッチ部６を押圧操作部材１０の内端部１４ａに対応させる。これにより、スイッチ部６の板ばね部６ａが押圧操作部材１０の内端部１４ａに弾接し、この板ばね部６ａのばね力によって押圧操作部材１０が本体ケース７の外部に向けて押し出される。このときには、押圧操作部材１０の内端部１４ａに取り付けられた抜止め部材１５が本体ケース７の内周面に押し当てられた状態を維持する。
【００４４】
また、本体ケース７の外周に外装ケース８を取り付ける際には、まず、外装ケース８にスライド操作部材１１を配置する。このときには、スライド操作部材１１のスライド操作釦１８を外装ケース８のスライド開口部１９にその内側から挿入し、第１、第２の目隠し部２１、２２の各スライド突起２１ａ、２２ａをスライド開口部１９の縁部に位置する外装ケース８の内面に摺動可能に接触させる。
【００４５】
この状態で、外装ケース８を本体ケース７の外周に取り付ける。このときには、スライド操作部材１１が本体ケース７と外装ケース８との間のスライド収納部２０内に配置されると共に、スライド操作部１７のスライド傾斜部１７ｂが押圧操作部材１０に対応し、この状態で外装ケース８が本体ケース７の外周に取り付けられる。これにより、スライド操作部材１１が本体ケース７と外装ケース８との間にスライド可能に取り付けられると共に、スライド操作部１７のスライドガイド部１７ａが一対のガイドレール７ａ間にスライド可能に配置される。
【００４６】
このときには、第１、第２の目隠し部２１、２２の各スライド突起２１ａ、２２ａがスライド開口部１９の縁部に位置する外装ケース８の内面に押し当てられた状態で、スライド操作部１７のスライドガイド部１７ａのスライド突起部１７ｃが、スライド収納部２０に対応する本体ケース７の外面に摺動可能に当接する。また、このときには、スライド操作釦１８が外装ケース８のスライド開口部１９にスライド可能に挿入された状態で腕時計ケース１の外部に露出する。
【００４７】
次に、このスイッチ装置３を操作する場合について説明する。
通常状態では、図２〜図４に示すように、スライド操作釦１８が押圧操作部材１０から最も離れた位置、つまり外装ケース８のスライド開口部１９の一端部（図３では右端部）に位置し、スライド操作部１７のスライドガイド部１７ａが押圧操作部材１０から最も離れた位置に配置され、かつスライド操作部１７のスライド傾斜部１７ｂの先端上部側、つまり本体ケース７の外面からスライド傾斜部１７ｂの内側面が最も離れた箇所に押圧操作部材１０の外端部１３ａが位置している。
【００４８】
この状態では、押圧操作部材１０の内端部１４ａが腕時計ケース１内の時計モジュール４に組み込まれたスイッチ部６のばね力によって押され、押圧操作部材１０の外端部１３ａが本体ケース７と外装ケース８との間のスライド収納部２０内に最も長く押し出されている。このときには、スイッチ部６は、板ばね部６ａが接点部６ｂから離れていることにより、オフ状態になっている。また、このときには、第１の目隠し部２１がスライド操作釦１８の他端部側（図３では左側）に位置する箇所のスライド開口部１９を塞いでいる。
【００４９】
このような状態で、スイッチ部６をスイッチ動作させる際には、スライド操作釦１８を外装ケース８のスライド開口部１９に沿ってスライドさせる。すなわち、スライド操作釦１８をスライド開口部１９の一端部（図３では右端部）から他端部（図３では左端部）に向けてスライドさせる。すると、スライド操作釦１８が押圧操作部材１０に向けてスライドすることにより、スライド操作部１７のスライドガイド部１７ａが一対のガイドレール７ａによってガイドされながら押圧操作部材１０の外端部１３ａに向けてスライドする。
【００５０】
このときには、スライドガイド部１７ａの下面に設けられたスライド突起部１７ｃが本体ケース７の外面に接触して摺動すると共に、第１、第２の目隠し部２１、２２の各スライド突起２１ａ、２２ａが外装ケース８の内面に接触して摺動するので、スライド操作部材１１がスライド収納部２０内を円滑にスライドする。
【００５１】
また、このときには、スライド操作部材１１のスライドに伴って、スライド操作部１７のスライド傾斜部１７ｂがその傾斜位置に応じて押圧操作部材１０の外端部１３ａをスイッチ部６の板ばね部６ａのばね力に抗して本体ケース７内に向けて徐々に押し込む。すなわち、スライド操作部１７のスライドガイド部１７ａが押圧操作部材１０に接近するのに伴って、押圧操作部材１０の外端部１３ａが位置するスライド操作部１７のスライド傾斜部１７ｂの箇所が、本体ケース７の外面に徐々に接近するので、押圧操作部材１０の外端部１３ａが本体ケース７内に向けて徐々に押し込まれる。
【００５２】
そして、スライド操作釦１８がスライド開口部１９の他端部（図２では左端部）にスライドして、スライド操作部１７のスライドガイド部１７ａが押圧操作部材１０に最も接近すると、押圧操作部材１０の外端部１３ａが位置するスライド操作部１７のスライド傾斜部１７ｂの箇所が、本体ケース７の外面に最も接近する。このため、押圧操作部材１０の外端部１３ａは、スイッチ部６の板ばね部６ａのばね力に抗して本体ケース７の貫通孔１２内に最も押し込まれる。
【００５３】
このときには、押圧操作部材１０の内端部１４ａが本体ケース７内に最も押し込まれ、この押し込まれた内端部１４ａがスイッチ部６の板ばね部６ａを押圧してスイッチ部６の接点部６ｂに接触させる。これにより、スイッチ部６がスイッチ動作してオン状態になる。この状態では、第１の目隠し部２１がスライド開口部１９の他端部側（図５では左側）に位置する外装ケース８の内面に移動し、第２の目隠し部２２がスライド操作釦１８の一端部側（図５では右側）に位置する箇所のスライド開口部１９を塞ぐ。
【００５４】
また、この状態で、スライド操作釦１８に対するスライド操作が解除されると、スイッチ部６の板ばね部６ａがそのばね力によって押圧操作部材１０の内端部１４ａを本体ケース７の外部に向けて押し出す。このときには、押圧操作部材１０の外端部１３ａがスライド操作部１７のスライド傾斜部１７ｂを押圧するため、押圧操作部材１０の外端部１３ａの押圧力によってスライド傾斜部１７ｂがその傾斜方向に沿って移動する。
【００５５】
このため、スライド操作部１７は、スライド傾斜部１７ｂの移動に伴ってスライド収納部２０を押圧操作部材１０の外端部１３ａから徐々に離れる方向にスライドする。そして、押圧操作部材１０がスイッチ部６の板ばね部６ａによって本体ケース７の貫通孔１２から最も押し出されると、板ばね部６ａが接点部６ｂから最も離れるので、スイッチ部６がオフ状態になる。
【００５６】
この状態では、押圧操作部材１０の外端部１３ａによってスライド操作部１７のスライド傾斜部１７ｂがスライドガイド部１７ａを押圧操作部材１０から最も離れた位置に移動させる。これにより、スライド操作釦１８がスライド開口部１９内をスライドしてスライド開口部１９の一端部（図３では右端部）に位置し、初期位置に戻る。このときには、第２の目隠し部２２がスライド開口部１９の一端部側（図３では右側）に位置する外装ケース８の内面に移動し、第１の目隠し部２１がスライド操作釦１８の他端部側（図３では左側）に位置する箇所のスライド開口部１９を塞ぐ。
【００５７】
このように、このスライド操作部材１１は、スライド操作釦１８に対するスライド操作が解除されると、スイッチ部６の板ばね部６ａのばね力によって押圧操作部材１０の内端部１４ａが本体ケース７の外部に向けて押し出されることにより、押圧操作部材１０の外端部１３ａの突出長さに応じてスライド操作部１７のスライド傾斜部１７ｂがスライドして、スライド操作釦１８がスライド開口部１９内をスライドして自動的に初期位置に戻る。
【００５８】
このように、この腕時計のスイッチ装置３によれば、本体ケース７の外周に外装ケース８が設けられた腕時計ケース１と、本体ケース７にその出没方向に移動可能に設けられて、本体ケース７内のスイッチ部６を押圧操作する押圧操作部材１０と、本体ケース７と外装ケース８との間に押圧操作部材１０の移動方向と直交する方向にスライド可能に配置され、かつその一部が外装ケース８から外部に露出され、この状態でスライド動作によって押圧操作部材１０を本体ケース７の出没方向に移動させるスライド操作部材１１と、を備えていることにより、簡単な構造で、スイッチ部６の不用意なスイッチ動作を防ぐことができる。
【００５９】
すなわち、この腕時計のスイッチ装置３では、スイッチ部６を押圧操作する押圧操作部材１０を、既存の押釦と同様に本体ケース７にその出没方向に移動可能に設けることができると共に、この押圧操作部材１０をスライド操作によって本体ケース７の出没方向に移動させるためのスライド操作部材１１を、本体ケース７と外装ケース８との間にスライド可能に配置させた構成であるから、部品点数が少なく、構造が簡単で、組立作業が容易にできる。
【００６０】
また、この腕時計のスイッチ装置３では、スライド操作部材１１の一部であるスライド操作釦１８を外装ケース８から腕時計ケース１の外部に露出させた状態で、スライド操作部材１１を本体ケース７と外装ケース８との間にスライド可能に配置することができるので、腕時計ケース１の外部に露出するスライド操作部材１１の露出面積を最小限に小さくすることができる。これにより、スライド操作部材１１がものにぶつかりにくく、かつ不用意にスライドするのを防ぐことができるので、スイッチ部６が不用意にスイッチ動作するのを良好に防ぐことができる。
【００６１】
この場合、スライド操作部材１１は、押圧操作部材１０の移動方向と直交する方向にスライドするスライド本体部１６と、このスライド本体部１６に設けられてスライド本体部１６のスライド動作に応じて押圧操作部材１０を本体ケース７の出没方向に移動させるスライド操作部１７と、スライド本体部１６に設けられて外装ケース８から腕時計ケース１の外部に露出するスライド操作釦１８と、を備えていることにより、スライド操作釦１８を操作してスライド本体部１６をスライドさせるだけで、スイッチ部６を確実にかつ良好にスイッチ動作させることができる。
【００６２】
すなわち、このスライド操作部材１１は、スライド操作釦１８をスライド操作すると、スライド本体部１６がスライドし、このスライド本体部１６のスライド動作に伴ってスライド操作部１７がスライドして押圧操作部材１０を押圧操作することができるので、この押圧操作部材１０によって本体ケース７内に設けられたスイッチ部６を確実にかつ良好にスイッチ動作させることができる。
【００６３】
この場合、スライド操作部１７は、スライドガイド部１７ａとスライド傾斜部１７ｂとを有し、このスライド傾斜部１７ｂがスライド本体部１６のスライド動作に応じて押圧操作部材１０を本体ケース７の出没方向に移動させる構成であるから、スライド本体部１６のスライドに伴って、スライド傾斜部１７ｂがその傾斜に応じて押圧操作部材１０を本体ケース７の出没方向に確実にかつ良好に移動させることができる。
【００６４】
すなわち、このスライド操作部１７は、スライド操作部１７のスライドガイド部１７ａが押圧操作部材１０に接近する際に、そのスライドガイド部１７ａの移動に伴って、押圧操作部材１０の外端部１３ａが位置するスライド傾斜部１７ｂの箇所を、本体ケース７の外面に対して徐々に接近させることができるので、このスライド傾斜部１７ｂによって押圧操作部材１０を本体ケース７内に向けて確実にかつ良好に押し込むことができる。
【００６５】
また、このスライド操作部１７は、押圧操作部材１０の外端部１３ａが本体ケース７の外部に向けて押し出される際に、押圧操作部材１０の外端部１３ａの突出長に応じてスライド傾斜部１７ｂがスライドガイド部１７ａを押圧操作部材１０から離れる方向にスライドさせることができるので、スライド操作部材１１を自動的に初期位置に戻すことができる。
【００６６】
この場合、スライド操作部１７は、スライドガイド部１７ａの下面における四隅にスライド突起部１７ｃが設けられていることにより、スライド操作部１７のスライドガイド部１７ａが本体ケース７の外面に沿ってスライドする際に、スライド突起部１７ｃを本体ケース７の外面に接触させて摺動させることができるので、スライド操作部１７を円滑にかつ良好にスライドさせることができる。
【００６７】
また、このスイッチ装置３では、本体ケース７と外装ケース８との間に、スライド操作部材１１をスライド可能に収納するスライド収納部２０が設けられていることにより、スライド収納部２０にスライド操作部材１１をスライド可能に収納することができる。このため、スライド操作部材１１を腕時計ケース１に容易にかつ良好に組み付けることができると共に、スライド操作部材１１を腕時計ケース１に組み付けても、腕時計ケース１の外形が大きくならず、腕時計ケース１をコンパクトに構成することができる。
【００６８】
この場合、外装ケース８には、スライド操作部材１１のスライド操作釦１８がスライド可能に挿入されて腕時計ケース１の外部に露出するスライド開口部１９が設けられていることにより、本体ケース７と外装ケース８との間に設けられたスライド収納部２０内にスライド操作部材１１をスライド可能に収納しても、スライド開口部１９からスライド操作部材１１のスライド操作釦１８を腕時計ケース１の外部に露出させることができるので、このスライド操作釦１８によってスライド操作部材１１を良好にスライド動作させることができる。
【００６９】
すなわち、スライド操作釦１８は、外装ケース８に設けられたスライド開口部１９に挿入されて、スライド操作釦１８の外端部のみが腕時計ケース１の外部に突出するだけであるから、スライド操作釦１８がものにぶつかりにくくすることができ、かつスライド操作釦１８を不用意にスライドしにくくすることができる。このため、押圧操作部材１０がスライド操作部材１１によって不用意に本体ケース７の出没方向に移動するのを抑制することができ、スイッチ部６が不用意にスイッチ動作するのを良好に防ぐことができる。
【００７０】
また、このスイッチ装置３では、スライド操作部材１１がスライド操作釦１８のスライドに応じてスライド開口部１９を塞ぐ第１、第２の目隠し部２１、２２を備えていることにより、外装ケース８にスライド操作釦１８がスライド可能に挿入するスライド開口部１９を設けても、第１、第２の目隠し部２１、２２によってスライド開口部１９を塞ぐことができるので、スライド開口部１９から外装ケース８内のスライド収納部２０内に埃などの塵挨が侵入するのを防ぐことができる。
【００７１】
すなわち、第１の目隠し部２１は、スライド操作釦１８が押圧操作部材１０から離れてスライド開口部１９の一端部（図３では右端部）に位置している状態のときに、そのスライド操作釦１８の他端部側（図３では左側）に位置するスライド開口部１９を塞ぐことができる。また、第２の目隠し部２２は、スライド操作釦１８が押圧操作部材１０に接近してスライド開口部１９の他端部（図５では左端部）に位置している状態のときに、そのスライド操作釦１８の一端部側（図５では右側）に位置するスライド開口部１９を塞ぐことができる。
【００７２】
この場合、第１、第２の目隠し部２１、２２の下面における各先端部には、スライド開口部１９の縁部に位置する外装ケース８の内面に接触して摺動する複数のスライド突起２１ａ、２２ａが設けられていることにより、スライド操作釦１８のスライド動作に応じて、複数のスライド突起２１ａ、２２ａを外装ケース８の内面に接触させて摺動させることができるので、第１、第２の目隠し部２１、２２を円滑にかつ良好にスライドさせることができる。
【００７３】
さらに、この腕時計では、腕時計ケース１が本体ケース７と外装ケース８とを有し、この腕時計ケース１の外形がほぼ円形状に形成され、その内部にスイッチ部６を有する時計モジュール４が組み込まれ、スライド操作部材１１が腕時計ケース１の円周方向に沿ってスライドする構成であるから、腕時計ケース１の外周にスイッチ装置３を容易にかつ良好に設けることができる。
【００７４】
なお、上述した実施形態では、押圧操作部材１０がスイッチ部６のばね力で押し出される際に、その押圧操作部材１０によってスライド操作部１７のスライド傾斜部１７ｂがスライドして、スライド操作部１７を初期位置に戻すように構成した場合について述べたが、この発明は、必ずしも押圧操作部材１０によってスライド操作部１７のスライド傾斜部１７ｂがスライドする必要はない。
【００７５】
すなわち、この発明のスイッチ装置は、例えば、スライド操作部材１１を初期位置に戻すばね部材などの付勢部材を備えた構成であっても良く、またスライド操作部材１１がスイッチ部６のばね力でスライドせず、スライド操作釦１８のスライド操作のみによってスライドするように構成しても良い。
【００７６】
また、上述した実施形態では、押圧操作部材１０がスイッチ部６を押圧操作するように構成した場合について述べたが、この発明は、これに限らず、押圧操作部材をスイッチ部の一部として構成しても良い。例えば、スイッチ部を、一対の接点同士が互いに接離可能に接触する接点部と、この接点部を押圧操作する操作子とによって、マイクロスイッチなどのように構成し、このスイッチ部の操作子を押圧操作部材として兼用するように構成しても良い。
【００７７】
また、上述した実施形態では、腕時計ケース１の外周にその円周方向に沿って設けた場合について述べたが、この発明はこれに限らず、例えば時計バンド２が取り付けられる箇所に対応する腕時計ケース１の上部側に設けた構成であっても良い。
【００７８】
さらに、上述した実施形態では、腕時計に適用した場合について述べたが、この発明は必ずしも腕時計である必要はなく、例えばトラベルウオッチ、目覚まし時計、置き時計、掛け時計などの各種の指針式の時計に適用することができる。また、この発明は必ずしも時計である必要はなく、例えば携帯電話機や携帯情報端末機などの各種の電子機器に広く適用することができる。
【００７９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８０】
（付記）
請求項１に記載の発明は、第１支持部の外側に第２支持部が設けられた支持部材と、前記第１支持部にその内外に向けて移動可能に設けられ、その移動によりスイッチ操作をする押圧操作部材と、前記第１支持部と前記第２支持部との間に前記押圧操作部材の移動方向と直交する方向にスライド可能に配置され、かつその一部が前記第２支持部から前記支持部材の外部に露出され、スライド動作によって前記押圧操作部材を前記第１支持部の内外に向けて移動させるスライド操作部材と、を備えていることを特徴とするスイッチ装置である。
【００８１】
請求項２に記載の発明は、請求項１に記載のスイッチ装置において、前記スライド操作部材は、前記押圧操作部材の移動方向と直交する方向にスライドするスライド本体部と、前記スライド本体部に設けられて前記スライド本体部のスライド動作に応じて前記押圧操作部材を前記第１支持部の内外に向けて移動させるスライド操作部と、前記スライド本体部に設けられて前記第２支持部から前記支持部材の外部に露出するスライド操作釦と、を備えていることを特徴とするスイッチ装置である。
【００８２】
請求項３に記載の発明は、請求項２に記載のスイッチ装置において、前記スライド操作部は、前記第１支持部の外面に沿ってスライドするスライドガイド部と、このスライドガイド部のスライド動作に応じて前記押圧操作部材を前記第１支持部の内外に向けて移動させるスライド傾斜部と、を備えていることを特徴とするスイッチ装置である。
【００８３】
請求項４に記載の発明は、請求項１〜請求項３のいずれかに記載のスイッチ装置において、前記第１支持部と前記第２支持部との間には、前記スライド操作部材をスライド可能に収納するスライド収納部が設けられていることを特徴とするスイッチ装置である。
【００８４】
請求項５に記載の発明は、請求項１〜請求項４のいずれかに記載のスイッチ装置において、前記第２支持部には、前記スライド操作部材の前記スライド操作釦がスライド可能に挿入されて前記支持部材の外部に露出するスライド開口部が設けられていることを特徴とするスイッチ装置である。
【００８５】
請求項６に記載の発明は、請求項１〜請求項５のいずれかに記載のスイッチ装置において、前記スライド操作部材は、前記スライド操作釦のスライド動作に応じて前記スライド開口部を塞ぐ目隠し部を備えていることを特徴とするスイッチ装置である。
【００８６】
請求項７に記載の発明は、請求項１〜請求項６のいずれかに記載されたスイッチ装置を備えていることを特徴とする時計である。
【００８７】
請求項８に記載の発明は、請求項７に記載の時計において、前記支持部材は、前記第１支持部である本体ケースと前記第２支持部である外装ケースとを有する時計ケースであり、前記本体ケースは、その外形がほぼ円形状に形成され、その内部に前記スイッチ部を有する時計モジュールが組み込まれており、前記スライド操作部材は、前記時計ケースの円周方向に沿ってスライドすることを特徴とする時計である。
【符号の説明】
【００８８】
１  腕時計ケース
３  スイッチ装置
４  時計モジュール
６  スイッチ部
６ａ  板ばね部
６ｂ  接点部
７  本体ケース
７ａ  ガイドレール
８  外装ケース
１０  押圧操作部材
１１  スライド操作部材
１２  貫通孔
１３  大径部
１３ａ  外端部
１３ｂ  防水リング
１４  小径部
１４ａ  内端部
１５  抜止め部材
１６  スライド本体部
１７  スライド操作部
１７ａ  スライドガイド部
１７ｂ  スライド傾斜部
１７ｃ  スライド突起部
１８  スライド操作釦
１９  スライド開口部
２０  スライド収納部
２１、２２  第１、第２の目隠し部
２１ａ、２２ａ  スライド突起
【図１】
2016219369.tif 000003
【図２】
2016219369.tif 000004
【図３】
2016219369.tif 000005
【図４】
2016219369.tif 000006
【図５】
2016219369.tif 000007
【図６】
2016219369.tif 000008
【図７】
2016219369.tif 000009